(57)【特許請求の範囲】
【請求項１】
一方のコネクタハウジングと、該一方のコネクタハウジングに回動自在に支持された回転レバーと、他方のコネクタハウジングと、を備え、前記回転レバーを前記他方のコネクタハウジングの係合部に係合させ、該回転レバーを回動操作することにより前記一方のコネクタハウジングと前記他方のコネクタハウジングとを嵌合させる回転レバー式コネクタであって、
前記一方のコネクタハウジングが、前記他方のコネクタハウジングの一部を受け入れるためのフード部を有し、
前記回転レバーが、前記一方のコネクタハウジングのフード部を挟むように配置され、且つ前記係合部に係合される金属製の回転レバー本体と、該回転レバー本体の回動端部を覆うように一体に形成された合成樹脂製の回動操作部と、を有し、
前記回動操作部がその本体と一体に形成された合成樹脂製の一対の弾性係止アームを備え、
前記他方のコネクタハウジングが、前記一方のコネクタハウジングの一部を受け入れるためのフード部と、前記弾性係止アームに当接するために該他方のコネクタハウジングのフード部の外面に形成された一対の第１傾斜面と、を有し、
前記一方のコネクタハウジングのフード部が、その外面に、互いの間隔を小さくする方向に延長する一対の第２傾斜面を有し、そして
前記一方のコネクタハウジングが前記他方のコネクタハウジングに予め定められた位置まで嵌合される前記一方のコネクタハウジングと前記他方のコネクタハウジングとの仮嵌合状態になると同時に、前記弾性係止アームが、前記第１傾斜面に当接することで弾性変形して蓄積された弾性反発力により、前記弾性係止アームの先端部をそれぞれ前記一方のコネクタハウジングの前記第２傾斜面上に誘導され且つ前記第２傾斜面上を前記互いの間隔を小さくする方向に摺動するのに伴い、前記回転レバーが回動され、それにより前記仮嵌合状態が解除されること、を特徴とする回転レバー式コネクタ。
【発明の詳細な説明】
【技術分野】
【０００１】
本発明は、回転レバーの回動動作によって雌雄コネクタを嵌合する回転レバー式コネクタに関する。
【背景技術】
【０００２】
従来の回転レバー式コネクタの一例として、回転レバーの弾性係止片を弾性変形させるための一対の解除部を設けたものが知られている（例えば、特許文献１、特許文献２参照）。
【０００３】
特許文献１、特許文献２に開示された回転レバー式コネクタでは、雌雄ハウジングを嵌合するに際して、雌雄ハウジングを所定の深さまで嵌め込む仮嵌合作業を行なう。雌雄ハウジングの仮嵌合時には、カム溝の入り口に進入したカムピンにより傾斜面が押圧されることで、回転レバーに対して回動方向に沿った分力が付与されるために、回転レバーが初期位置から嵌合位置側に回動変位される。回転レバーが初期位置から嵌合位置側へ回動すると、操作部がフード部の外面から離間して側方へ突き出るので、回転レバーが回動変位したことが外部から明瞭に視認される。そして、雌雄ハウジングが仮嵌合深さに達すると、カムピンが左側の円弧面に当接することで、カムピンがそれ以上奥方へ進入するのがある程度は規制され、この状態からカムピンが更に奥方へ進入しても、カムピンが円弧面に当接している間は、回転レバーが回動変位するだけで、雌雄ハウジングの嵌合は進行しない。そして、回転レバーが所定位置まで回動したところで、カムピンが突部に当接することにより、回転レバーが更に回動してカムピンが湾曲面側へ相対変位するのが規制され、突部が、両側面を傾斜した山形に形成されているので、仮嵌合状態から回転レバーに対して所定以上の操作力を付与しつつ嵌合位置側へ回動することで、カムピンが突部を乗り越えて湾曲面側へ相対変位する。このように、解除部が弾性係止片の鈎部に係合することで、弾性係止片が外側に弾性変形されるとともに鈎部が係止部から解離して、回転レバーの保持状態が解除され、そして、カムピンが傾斜面に当接した状態から更に嵌合が進行することで、カムピンにより傾斜面が押圧されて、回転レバーが初期位置から嵌合位置側へ回動変位される。
【０００４】
【特許文献１】特開２００３−２６４０３５号公報
【特許文献２】特開２００３−２６４０３６号公報
【発明の開示】
【発明が解決しようとする課題】
【０００５】
ところで、近年、コネクタの小型化のために、金属製で薄肉の回転レバーが用いられるようになってきたが、この金属製の回転レバーにも上記特許文献１および特許文献２の回転レバー式コネクタのような弾性係止片が設けられる。しかし、それら弾性係止片は回転レバーの本体の一部を切り起こして形成されたものであるため、嵌合操作および嵌合解除操作の繰り返しにより、へたりを生じ易い。その上、金属製の回転レバーの操作部は作業者の指に触れられる部分であるため、錆を生じ易い。
【０００６】
本発明は、上述した事情に鑑みてなされたものであり、その目的は、金属だけで形成された回転レバーに比べて剛性が高く、弾性係止部分のへたりを防止できるとともに錆の発生も防止できる回転レバーを備えた回転レバー式コネクタを提供することにある。
【課題を解決するための手段】
【０００７】
前述した目的を達成するため、本発明に係る回転レバー式コネクタは、
一方のコネクタハウジングと、該一方のコネクタハウジングに回動自在に支持された回転レバーと、他方のコネクタハウジングと、を備え、前記回転レバーを前記他方のコネクタハウジングの係合部に係合させ、該回転レバーを回動操作することにより前記一方のコネクタハウジングと前記他方のコネクタハウジングとを嵌合させる回転レバー式コネクタであって、
前記一方のコネクタハウジングが、前記他方のコネクタハウジングの一部を受け入れるためのフード部を有し、
前記回転レバーが、前記一方のコネクタハウジングのフード部を挟むように配置され、且つ前記係合部に係合される金属製の回転レバー本体と、該回転レバー本体の回動端部を覆うように一体に形成された合成樹脂製の回動操作部と、を有し、
前記回動操作部がその本体と一体に形成された合成樹脂製の一対の弾性係止アームを備え、
前記他方のコネクタハウジングが、前記一方のコネクタハウジングの一部を受け入れるためのフード部と、前記弾性係止アームに当接するために該他方のコネクタハウジングのフード部の外面に形成された一対の第１傾斜面と、を有し、
前記一方のコネクタハウジングのフード部が、その外面に、互いの間隔を小さくする方向に延長する一対の第２傾斜面を有し、そして
前記一方のコネクタハウジングが前記他方のコネクタハウジングに予め定められた位置まで嵌合される前記一方のコネクタハウジングと前記他方のコネクタハウジングとの仮嵌合状態になると同時に、前記弾性係止アームが、前記第１傾斜面に当接することで弾性変形して蓄積された弾性反発力により、前記弾性係止アームの先端部をそれぞれ前記一方のコネクタハウジングの前記第２傾斜面上に誘導され且つ前記第２傾斜面上を前記互いの間隔を小さくする方向に摺動するのに伴い、前記回転レバーが回動され、それにより前記仮嵌合状態が解除されること、を特徴とする。
【０００８】
この構成の回転レバー式コネクタによれば、回転レバーが、一方のコネクタハウジングのフード部を挟むように配置され、且つ係合部に係合される金属製の回転レバー本体と、該回転レバー本体の回動端部を覆うように一体に形成された合成樹脂製の回動操作部と、を有し、そして該回動操作部がその本体と一体に形成された合成樹脂製の一対の弾性係止アームを備え、合成樹脂製の弾性係止アームが弾性係止片として働くので、金属だけで形成された回転レバーに比べて剛性が高く、へたりを防止できる。また、この構成の回転レバー式コネクタによれば、合成樹脂製の回動操作部によって、それが取り付けられる金属製の回転レバー本体の表面の防錆効果も得られる。尚、回動操作部は、回転レバー本体と一体成形されたものでも、あるいは回転レバー本体に嵌め込むように取付けられるものでもよい。また、弾性係止アームも、回動操作部の本体と一体成形されたものでも、あるいは回動操作部の本体に嵌め込むように取付けられるものでもよい。尚、回転レバー本体の回動端部を絶縁性合成樹脂製の回動操作部で覆えば、万一の感電を防ぐことができる。
【発明の効果】
【０００９】
本発明によれば、金属だけで形成された回転レバーに比べて剛性が高く、弾性係止部分のへたりを防止できるとともに錆の発生も防止できる回転レバーを備えた回転レバー式コネクタを提供することができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１は本発明の回転レバー式コネクタの一実施形態を示す嵌合前の外観斜視図、図２は回転レバー式コネクタにおける弾性係止アーム周りを示す図１の点線円ＩＩ内に描かれた部分の拡大図、図３は図１に示す回転レバー式コネクタの右側面図、図４は図１に示す回転レバー式コネクタの主に雌コネクタハウジング、インナーハウジングおよび回転レバーを示す正面図、図５は図１に示す回転レバー式コネクタの仮嵌合直前の外観斜視図、図６は図５の点線円ＶＩ内に描かれた部分の拡大図、図７は図５に示す回転レバー式コネクタの仮嵌合解除時の外観斜視図、図８は図７のＶＩＩＩ−ＶＩＩＩ矢視断面図、図９は図８のＶＩＩＩ−ＶＩＩＩ矢視断面よりも雌コネクタハウジングの後端部寄りに切断した場合の要部（弾性係止アーム周り）断面拡大図、図１０は図７に示す回転レバー式コネクタの仮嵌合解除後の外観斜視図、図１１は図１０に示す回転レバー式コネクタの右側面図、図１２は図１０に示す回転レバー式コネクタの本嵌合時の外観斜視図、そして図１３は図１２に示す回転レバー式コネクタの右側面図である。
【００１３】
図１〜図１３に示されるように、本発明の一実施形態である回転レバー式コネクタ１０は、インナーハウジング１２を有する雌コネクタハウジング１１と、雌コネクタハウジング１１に回動自在に支持された回転レバー１３と、雄コネクタハウジング７０と、を備え、回転レバー１３を雄コネクタハウジング７０の係合突起７１に係合させ、回転レバー１３を回動操作することにより雌コネクタハウジング１１と雄コネクタハウジング７０とを嵌合させる回転レバー式コネクタである。
【００１４】
雌コネクタハウジング１１は、雄コネクタハウジング７０の一部を受け入れるためのフード部１７を有する。回転レバー１３は、雌コネクタハウジング１１のフード部１７を挟むように対向配置され、且つ係合突起７１に係合される一対の板状の回転レバー本体２７と、回転レバー本体２７の回動端部間に架設された回動操作部２８と、回動操作部２８に設けられた一対の弾性係止アーム３２と、を有する。
【００１５】
雄コネクタハウジング７０は、雌コネクタハウジング１１の一部を受け入れるためのフード部７４と、弾性係止アーム３２に当接するためにフード部７４の外面に形成された一対の雄コネクタハウジング側傾斜面７６と、を有する。他方、雌コネクタハウジング１１のフード部１７は、その外面に、互いの間隔を小さくする方向に延長する一対の雌コネクタハウジング側傾斜面２１を有する。
【００１６】
特に図７〜図９から明らかなように、このように構成された回転レバー式コネクタ１０では、雌コネクタハウジング１１が雄コネクタハウジング７０に、換言すれば、雄コネクタハウジング７０が雌コネクタハウジング１１に予め定められた位置まで嵌合される雌コネクタハウジング１１と雄コネクタハウジング７０との仮嵌合状態になると同時に、弾性係止アーム３２が、雄コネクタハウジング側傾斜面７６に当接されることにより雌コネクタハウジング側傾斜面２１上に誘導され且つ雌コネクタハウジング側傾斜面２１上を互いの間隔を小さくする方向に摺動するのに伴い、回転レバー１３がやや回動され、それにより仮嵌合状態が解除される。
【００１７】
このように構成された回転レバー式コネクタ１０の詳細について以下に説明する。
【００１８】
雌コネクタハウジング１１は、絶縁性のある合成樹脂によって成形されており、一対の側板１４と、天板１５と、底板１６と、から略四角形の筒状に形成されたフード部１７を有する。雌コネクタハウジング１１は、その一対の側板１４に、端縁から嵌合方向に切除された切欠部１８をそれぞれ有する。切欠部１８には、雄コネクタハウジング７０の側部に突出形成された一対の係合突起７１が挿入される。また、雌コネクタハウジング１１は、その一対の側板１４に、回動支点である回転レバー枢支軸１９と、回転レバー１３の回動範囲を規制するための回転レバー回動規制突起２０と、をそれぞれ有する。
【００１９】
そして、フード部１７は、各切欠部１８の縁部に連続して雌コネクタハウジング側傾斜面２１をそれぞれ有する。各雌コネクタハウジング側傾斜面２１は、フード部１７の湾曲状外周面の一部の面である。
【００２０】
天板１５には、回転レバー１３のロック側回動終端に回転レバーロック部２２を有する。回転レバーロック部２２は、回転レバー１３が本嵌合位置まで回動されるときに、回転レバー１３に有するロック片（図４参照。）２３がスナップアクション的に係合されることで回転レバー１３をロックし、これに反して、回転レバー１３がロックされている際に押圧されることで回転レバー１３のロック片２３が外れてロックが解除される。
【００２１】
また、雌コネクタハウジング１１には、一対の側板１４，１４と、天板１５と、底板１６と、の内側に雄コネクタハウジング挿着部２４を有し、この雄コネクタハウジング挿着部２４に、雄コネクタハウジング７０の外周部に嵌合方向に突出形成された４個の挿入突起７２を挿入ガイドするための４個のガイド溝２５を嵌合方向に有する。
【００２２】
インナーハウジング１２は、絶縁性のある合成樹脂製であって、不図示の端子収容部内に６個の雌端子（図４参照。）２６が組み込まれている。インナーハウジング１２には、不図示の防水用オーリングが外嵌される。雌端子２６は、雌コネクタハウジング１１と雄コネクタハウジング７０とが嵌合される際に雄コネクタハウジング７０の雄端子（図８参照。）７５とそれぞれ接触して電気的に接続される。雌端子２６の、インナーハウジング１２の嵌合部分と反対側に位置する電線接続部（不図示）は、ワイヤハーネス８０にそれぞれ電気的に接続されている。
【００２３】
回転レバー１３は、比較的薄い金属製板部材を略コ字形にプレス成形することにより形成された一対の回転レバー本体２７および該回転レバー本体２７の回動端部間に架設されたブリッジ板と、回転レバー本体２７およびブリッジ板を覆うように取り付けられた略コ字形の回動操作部２８と、が一体的に形成されたコネクタ嵌合支援部材である。回転レバー本体２７の回動端部はブリッジ板により切れ目無く繋げられており、そのブリッジ板の一部が回動操作部２８から露出されたロック片２３になっている。
【００２４】
回転レバー本体２７は、雌コネクタハウジング１１の回転レバー枢支軸１９が挿通する枢支孔２９をそれぞれ有するとともに、枢支孔２９それぞれの外側に、嵌合動作による回転レバー１３の回動に伴い、雄コネクタハウジング７０の係合突起７１に係合しながら雌コネクタハウジング１１を雄コネクタハウジング７０に向けて進行させるために湾曲状に切除されたカム溝３０と、嵌合を行なう時に雄コネクタハウジング７０の一対の係合突起７１をカム溝３０にそれぞれ誘導するためのガイド３１と、をそれぞれ有する。
【００２５】
回動操作部２８は、弾性に富む絶縁性合成樹脂製であって、その両側部に弾性係止アーム３２，３２を有する。弾性係止アーム３２，３２は、回動操作部２８の本体と一体成形された合成樹脂製の部分であって、回動操作部２８の本体からガイド３１に向けて突出するよう、それぞれ垂下されている。
【００２６】
雄コネクタハウジング７０は、絶縁性のある合成樹脂によって成形されており、基部７３から略四角形の筒状に突出形成されたフード部７４を有し、フード部７４内に基部７３に固定された６個の雄端子７５が配置される。雄端子７５の、基部７３側に位置する電線接続部（不図示）は、不図示のワイヤハーネスにそれぞれ電気的に接続される。また、フード部７４は、外周面上に４個の挿入突起７２を嵌合方向に有し、側部に一対の係合突起７１を有する。そして、一対の係合突起７１の側部に、一対の雄コネクタハウジング側傾斜面７６をそれぞれ有する。雄コネクタハウジング側傾斜面７６は、雌コネクタハウジング１１の嵌合進行方向に漸次幅広になるようにテーパ状に形成されているため、雌コネクタハウジング１１が仮嵌合に至る際に、回動操作部２８の弾性係止アーム３２にそれぞれ当接することで、各弾性係止アーム３２それぞれの間隔寸法を大きくするように弾性変形させて仮嵌合を解除する。
【００２７】
図２に示されるように、回動操作部２８の弾性係止アーム３２は、略Ｌ字形を形成するように突出する先端部３３が雌コネクタハウジング１１の切欠部１８内に配置されている。雄コネクタハウジング７０のフード部７４が雌コネクタハウジング１１のフード部１７内に嵌合方向に進入し始めると、雌コネクタハウジング１１の切欠部１８内に雄コネクタハウジング７０の係合突起７１が進入し始め、仮嵌合状態に至る前に弾性係止アーム３２が雄コネクタハウジング側傾斜面７６に当接する。
【００２８】
図３に示されるように、回転レバー式コネクタ１０は、嵌合前に、回転レバー１３が非嵌合位置Ｐ１にあり、ガイド３１および雌コネクタハウジング１１の各切欠部１８が、雄コネクタハウジング７０の各係合突起７１に向いて配置される。
【００２９】
図４に示されるように、雄コネクタハウジング挿着部２４は、雌コネクタハウジング１１のフード部１７とインナーハウジング１２との間に環状に形成される。
【００３０】
図５に示されるように、仮嵌合に際し、雄コネクタハウジング７０のフード部７４内に嵌合方向にそれぞれ突出配置されている雄端子７５に対してインナーハウジング１２の端子収容部を合せながら、雄コネクタハウジング７０の挿入突起７２に雌コネクタハウジング１１のガイド溝３０をそれぞれ外挿しつつ、雄コネクタハウジング７０の係合突起７１に回転レバー１３のガイド３１と雌コネクタハウジング１１の切欠部１８とを合せて、雌コネクタハウジング１１とインナーハウジング１２との間の雄コネクタハウジング挿着部２４に雄コネクタハウジング７０のフード部７４を押圧挿入していく。
【００３１】
図６に示されるように、雌コネクタハウジング１１とインナーハウジング１２との間に雄コネクタハウジング７０のフード部７４が押圧挿入されていき、回転レバー１３のガイド３１を係合突起７１がそれぞれ通過した後、回転レバー１３の弾性係止アーム３２の先端部３３が雄コネクタハウジング７０の雄コネクタハウジング側傾斜面７６にそれぞれ当接することで、弾性係止アーム３２がそれぞれ弾性変形され、弾性係止アーム３２の間隔寸法が大きくなる。その後、雄コネクタハウジング７０のフード部７４が雄コネクタハウジング挿着部２４の予め定められた位置まで押圧挿入されていくと仮嵌合状態となるが、この仮嵌合状態は雌コネクタハウジング側傾斜面２１上での弾性係止アーム３２の先端部３３の摺動により、図７に示すように瞬時に解除される。
【００３２】
図７に示されるように、雄コネクタハウジング側傾斜面７６に当接することで弾性変形して弾性反発力を蓄積している弾性係止アーム３２は、その先端部３３がそれぞれ雌コネクタハウジング１１のフード部１７の雌コネクタハウジング側傾斜面２１へと雄コネクタハウジング側傾斜面７６により誘導される。一旦、弾性係止アーム３２の先端部３３が、切欠部１８の上縁部にそれぞれ連続的に配置された雌コネクタハウジング側傾斜面２１上にそれぞれ乗ると、蓄積されている弾性反発力による復元力でもって弾性係止アーム３２が、雌コネクタハウジング側傾斜面２１に沿って、それぞれの間隔寸法を小さくするように弾性復帰しながら、雌コネクタハウジング側傾斜面２１を摺動し、これにより回転レバー１３が仮嵌合解除位置Ｐ２まで一気に押し出される。
【００３３】
より詳細に図８および図９に示されるように、弾性係止アーム３２の先端部３３が雄コネクタハウジング側傾斜面７６から雌コネクタハウジング側傾斜面２１にそれぞれ移行するに際し、弾性反発力を蓄積している弾性係止アーム３２は、湾曲面状の雌コネクタハウジング側傾斜面２１に摺接する反力が回転レバー１３に与えられ、それによって、回転レバー１３が仮嵌合解除位置Ｐ２に向けて押し出される。
【００３４】
図１０に示されるように、仮嵌合解除位置Ｐ２に向けて押し出された回転レバー１３は、作業者の手によって本嵌合位置（図１３参照）Ｐ３に向けて回動させられる。
【００３５】
図１１に示されるように、回転レバー１３が仮嵌合解除位置Ｐ２から本嵌合位置Ｐ３に向けて回動されることで、回転レバー枢支軸１９の中心からガイド溝２５内の係合突起７１までの距離が小さくなっていくために、雌コネクタハウンジング１１と雄コネクタハウジング７０との嵌合が進行する。
【００３６】
図１２に示されるように、回転レバー１３のガイド溝２５の終端部に係合突起７１が来たところで、回転レバー１３のロック片２３が雌コネクタハウジング１１の回転レバーロック部２２に係止されることで本嵌合状態となる。
【００３７】
図１３に示されるように、回転レバー１３が本嵌合位置Ｐ３でロックされることで、雄コネクタハウジング７０の係合突起７１が回転レバー１３のガイド溝２５によって抜け止めされ、雄コネクタハウジング７０と雌コネクタハウジング１１との嵌合が終了される。この際、インナーハウジング１２内の雌端子２６が雄コネクタハウジング７０内の雄端子７５に電気的に接続され、雌コネクタハウジング１１側のワイヤハーネス８０と雄コネクタハウジング７０側のワイヤハーネスとで回路が形成される。
【００３８】
このように、弾性係止アーム３２の先端部３３が、雄コネクタハウジング側傾斜面７６と雌コネクタハウジング側傾斜面２１とに連続して摺接することで、仮嵌合状態が自動的に解除され、回転レバー１３が本嵌合位置Ｐ３に向けて押し出されるために、作業者は、押し出された回転レバー１３を本嵌合位置Ｐ３まで、小さい押圧力で回動させるだけでよくなる。
【００３９】
以上、説明したように、回転レバー式コネクタ１０では、回転レバー１３が、雌コネクタハウジング１１のフード部１７を挟むように配置され、且つ雄コネクタハウジング７０の係合突起７１に係合される金属製の回転レバー本体２７と、該回転レバー本体２７の回動端部を覆うように取り付けられた合成樹脂製の回動操作部２８と、を有し、そして該回動操作部２８がその本体と一体成形された合成樹脂製の一対の弾性係止アーム３２を備え、合成樹脂製の弾性係止アーム３２が弾性係止片として働くので、金属だけで形成された回転レバーに比べて剛性が高く、へたりを防止できる。また、回転レバー式コネクタ１０によれば、合成樹脂製の回動操作部２８によって、それが取り付けられる金属製の回転レバー本体２７の表面の防錆効果も得られる。
【００４０】
また、回転レバー式コネクタ１０では、雌コネクタハウジング１１が雄コネクタハウジング７０に、換言すれば、雄コネクタハウジング７０が雌コネクタハウジング１１内に予め定められた位置まで嵌合される雌コネクタハウジング１１と雄コネクタハウジング７０との仮嵌合状態になると同時に、弾性係止アーム３２の先端部３３が、雄コネクタハウジング側傾斜面７６に当接されることにより雌コネクタハウジング側傾斜面２１上に誘導され且つ雌コネクタハウジング側傾斜面２１上を互いの間隔を小さくする方向に摺動するのに伴い、回転レバー１３がやや回動され、それにより仮嵌合状態が解除されるので、従来のもののように、仮嵌合状態を解除する際に、カムピンが突部を乗り越えるだけの大きな操作力を作業者の手によって回転レバーに付与する必要がなく、よって雌コネクタハウジング１１と雄コネクタハウジング７０との本嵌合状態への回転レバー操作を容易にする。このように、回転レバー式コネクタ１０によれば、仮嵌合状態の解除を自ら行なうので、一連の嵌合操作を簡単に行なうことができる。
【００４１】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【図面の簡単な説明】
【００４２】
【図１】本発明の回転レバー式コネクタの一実施形態を示す嵌合前の外観斜視図である。
【図２】回転レバー式コネクタにおける弾性係止アーム周りを示す図１の点線円ＩＩ内に描かれた部分の拡大図である。
【図３】図１に示した回転レバー式コネクタの右側面図である。
【図４】図１に示した回転レバー式コネクタの主に雌コネクタハウジング、インナーハウジングおよび回転レバーを示す正面図である。
【図５】図１に示した回転レバー式コネクタの仮嵌合直前の外観斜視図である。
【図６】図５の点線円ＶＩ内に描かれた部分の拡大図である。
【図７】図５に示した回転レバー式コネクタの仮嵌合解除時の外観斜視図である。
【図８】図７のＶＩＩＩ−ＶＩＩＩ矢視断面図である。
【図９】図８のＶＩＩＩ−ＶＩＩＩ矢視断面よりも雌コネクタハウジングの後端部寄りに切断した場合の要部（弾性係止アーム周り）断面拡大図である。
【図１０】図７に示した回転レバー式コネクタの仮嵌合解除後の外観斜視図である。
【図１１】図１０に示した回転レバー式コネクタの右側面図である。
【図１２】図１０に示した回転レバー式コネクタの本嵌合時の外観斜視図である。
【図１３】図１２に示した回転レバー式コネクタの右側面図である。
【符号の説明】
【００４３】
１０  回転レバー式コネクタ
１１  雌コネクタハウジング（一方のコネクタハウジング）
１３  回転レバー
１７  フード部（一方のコネクタハウジング側フード部）
２１  雌コネクタハウジング側傾斜面（第２傾斜面）
２７  回転レバー本体
２８  回動操作部
３２  弾性係止アーム
７０  雄コネクタハウジング（他方のコネクタハウジング）
７１  係合突起（係合部）
７４  フード部（他方のコネクタハウジング側フード部）
７６  雄コネクタハウジング側傾斜面（第１傾斜面）
【図１】
0004579083.tif 000002
【図２】
0004579083.tif 000003
【図３】
0004579083.tif 000004
【図４】
0004579083.tif 000005
【図５】
0004579083.tif 000006
【図６】
0004579083.tif 000007
【図７】
0004579083.tif 000008
【図８】
0004579083.tif 000009
【図９】
0004579083.tif 000010
【図１０】
0004579083.tif 000011
【図１１】
0004579083.tif 000012
【図１２】
0004579083.tif 000013
【図１３】
0004579083.tif 000014